(57)【要約】      （修正有）【課題】小縁の詰め容器体を設け、内体部に詰室と保冷材入室を設け、保冷材を入置に備へ、いかなる状態時にも個々の詰め容器体が単独において保冷を有し、海鮮（雲丹）の新鮮度を図ることを可能とする。又、詰め容器体を縮小に設けることにより容量度が減少され、よって、小容量の海鮮（雲丹）が詰められ、販売価格も小額価を有し、若年層から高年層に致る消費者が気軽に購入しやすい価格が設定され、販売力の促進増大を可能とする。【解決手段】小縁に詰め容器体１を設け、内壁面体に上下の分室の仕切と詰台を兼ね、上下に折曲開閉自在を有す保冷板２を付設し、詰室３、保冷材入室を共に設け、保冷材入室４に、保冷材６を入置した断熱保冷入置箱５を入室に備へた、保冷室付き小縁詰め容器。【選択図】図２
0003123068.tif 000002
【実用新案登録請求の範囲】
【請求項１】
小縁に詰め容器体（１）を設け、内壁面体に上下の分室の仕切と詰台を兼ね上下に折曲開閉自在を有す保冷板（２）を付設し、詰室（３）、保冷材入室（４）を共に設け、保冷材入室（４）に、保冷材（６）を入置した断熱保冷入置箱（５）を入室に備へた、保冷室付き小縁詰め容器。
【考案の詳細な説明】
【技術の分野】
【０００１】  小縁の詰め容器体１を設け、詰室３、保冷材入室４を設け、保冷材入室４に、保冷材６を入置した断熱保冷入置箱５を入室に備へた、保冷室付き小縁詰め容器に関するものである。
【背景の技術】
【０００２】  現在使用されている海鮮（雲丹）の詰め容器は、個々の容器における保冷機能を持たず、保冷庫、保冷陳列台、保冷陳列ケース等による間接的保冷において新鮮度を保持する方法が主で、一般消費者の手に渡った直後からの移送時間等の保冷方法が特に欠ける。
【０００３】  又、詰め容器体の容量度が大きく、多容量の海鮮（雲丹）が詰められ、それに伴う高額の販売価格が設定されている。
【０００４】  従って、一般消費者の目には高価な海鮮（雲丹）商品に写り販売力に欠ける。
【考案の開示】
【考案が解決しようとする課題】
【０００５】  本考案は、小縁の詰め容器体を設け、内体部に詰室と保冷材入室を設け保冷材を入置に備へ、いかなる状態時にも個々の詰め容器体が単独において保冷を有し、海鮮（雲丹）の新鮮度を図ることを可能とする。【０００６】  又、詰め容器体を縮小に設けることにより容量度が減少され、よって、小容量の海鮮（雲丹）が詰められ、販売価格も小額価を有し、若年層から高年層に致る消費者が気軽に購入しやすい価格が設定され、販売力の促進増大を可能とした。
【課題を解決しようとする手段】
【０００７】  １  適当な深さの詰め容器体１を設け、詰め容器体１に、適当な深さの内壁面体の一部分横状に、上下に分室の仕切と詰台を兼ね、上下に折曲開閉自在を有す保冷板２を付設し、詰室３、保冷材入室４を共に設け備へている。
２  詰室３の外周縁部より一連を有し、上下に折曲開閉自在ができる容器蓋８を連設し、容器蓋８の周縁体に凹状を有す窪みを内面に向け、蓋合体止９を設けている。
３  詰室３の周縁枠体に凸状を有す脹らみを外面に向け蓋受合体止１０を設けている。
４  保冷材入室４の内室全体幅に合わせ、保冷板２を下閉した時に、水平の位置の高さを有す断熱保冷材入置箱５を設けている。
５  保冷材６を、断熱保冷材入置箱５に入置に備へ、保冷材入室４に入室に備へている。
６  詰室３の保冷板２の上面体に、吸水性敷材７を敷設している。
【考案の効果】
【０００８】  上記の様に、本考案の保冷室付き小縁詰め容器は、保冷材入室を設け、保冷材を入置に備へたことにおいて、個々の詰め容器体が単独において保冷を有し、保冷庫、保冷陳列台、保冷陳列ケース等に入庫時においても同時に保冷が継続され、いかなる状態時にも新鮮度を保持することを可能とした。
【０００９】  又、詰め容器体を、装飾を含めた小縁に縮小したことにおいて、詰め容量度の減少と、それに伴う販売価格の小額価、そして、ファッション性、味覚感等を示したことにより、少なくなかった若年層の興味をそそり、気軽な海鮮（雲丹）品となり、消費力を増大させると共に、一般消費者も今迄以上の消費力において販売促進を図ることを可能とした。
【考案を実施するための最良の形態】
【００１０】  適当な深さと小縁に設けた詰め容器１を設け、適当な深さの内壁面体の一部分横状に、上下に分室の仕切と詰台を兼ね、上下に折曲開閉自在を有す、保冷板２お付設し、上部に詰室３、下部に保冷材入室４を共に設け備へ、また、保冷材入室４の内室全体幅に合せ、保冷板２を下閉した時に、水平の位置の高さを有す大きさの断熱保冷材入置箱５を設け、断熱保冷材入置箱５に、凍結を有した保冷材６を入置に備へ、入置した断熱保冷材入置箱５を、保冷材入室４に入室に備へ、保冷板２を下閉し、保冷板２の上面体に吸水性敷材７を敷設に備へ、また、詰室３の外周縁部より一連を有し、上下に折曲開閉自在を有す容器蓋８を連設し、容器蓋８お周縁体に凹状を有す窪みを内面に向け蓋合体止９と、詰室３の周縁枠体に凸状を有す脹らみを外面に向け蓋受合体止１０を共に設け備へ、容器蓋８を詰室３に下閉し、蓋合体止９と蓋受合体止１０との合体において蓋固定を図る。
【実施例１】
【００１１】  １  合成樹脂素材を用い、適当な探さと装飾を含めた小縁に設けた詰め容器体１に、適当な深さの内壁面体の一部分横状に、上下に分室の仕切と詰台を兼ね、上下に折曲開閉自在を有す保冷板２を付設し、上部に詰室３、下部に保冷材入室４を共に設けている。
２  詰室３の外周縁部より一連を有し、上下に折曲開閉自在を有す容器蓋８を連設し、容器蓋８の周縁部に凹状を有す窪みを内面に向けた蓋合体止９を設けている。
３  詰室３の周縁枠体に凸状を有す脹らみを外面に向けた蓋受合体止１０を設けている。
４  保冷材入室４の内体に合置体を有す、内室全体幅に合せ、保冷板２を下閉した時に水平の位置の高さとを共に、断熱素材を用いた、断熱保冷材入置箱５を設け備へている。
５  断熱保冷材入置箱５の内体に合置体を有す、凍結素材を用いた保冷材６を備へている。
６  断熱保冷材入置箱５に、凍結を有した保冷材６を入置に備へている。
７  詰室３の保冷板２を下閉し、上面体に弾性素材を用いた、吸水性敷材７を敷設している。【００１２】  本考案の、一実施例は上記した構成からなるもので、小縁の詰め容器体に、保冷材を入置に備へ、詰め容器体が、いかなる状態時にも単独においての保冷を可能とした。又、詰め容器体を、ファッション性を含めた小縁に縮小したことにおいて、若年層の消費力を図り、販売力を促すことを可能とした。
【図面の簡単な説明】
【００１３】
【図１】  本考案の保冷室付き小縁詰め容器を示す一部切欠断面斜視図。
【図２】  本考案の保冷室付き小縁詰め容器を示す断面図。
【図３】  本考案の断熱保冷材入置箱の備品体を示す斜視図。
【図４】  本考案の保冷材の備品体を示す斜視図。
【図５】  本考案の吸水性敷材の備品体を示す斜視図。
【符号の説明】
【００１４】    １  詰め容器体
２  保冷板
３  詰室
４  保冷材の入室
５  断熱保冷材入置箱
６  保冷材
７  吸水性敷材
８  容器蓋
９  蓋合体止
１０  蓋受合体止
【図１】
0003123068.tif 000003
【図２】
0003123068.tif 000004
【図３】
0003123068.tif 000005
【図４】
0003123068.tif 000006
【図５】
0003123068.tif 000007